(57)【要約】【課題】  グループ内で同じ番組を録画又は視聴し、グループ内のコミュニケーションをより円滑することができる番組予約装置、番組予約情報通知システム及び番組予約通知プログラムを記録した記録媒体を提供する。【解決手段】  番組予約情報通知システムは、通信機能を備える複数の放送受信機１０，２０，携帯端末３０と、各端末間で通信を行う通信インフラ５０とを備え、放送受信機１０，２０，携帯端末３０の制御部１１，３１は、ユーザグループ管理部１２により、端末間で情報を通知しあうメンバーをグループとして管理するグループ管理処理、通信部１８，３８により、グループ加入依頼や番組予約情報を含む情報をグループのメンバーの端末に通知する通知処理を実行する。【選択図】  図１
2005184503.tif 000002
【特許請求の範囲】
【請求項１】
複数の端末と通信可能な通信機能と、放送番組を予約する番組予約機能とを備える番組予約装置であって、
前記複数の端末間で情報を通知しあうメンバーをグループとして管理するグループ管理手段と、
番組予約情報を含む情報を前記グループのメンバーの端末に通知する通知手段と
を備えることを特徴とする番組予約装置。
【請求項２】
前記通知手段は、各端末に対してグループ加入依頼を通知することを特徴とする請求項１記載の番組予約装置。
【請求項３】
前記通知手段は、グループ加入依頼に対する返信を通知することを特徴とする請求項１又は２に記載の番組予約装置。
【請求項４】
前記グループ加入依頼は、プライオリティによる順位付けを有することを特徴とする請求項１乃至３のいずれか一項に記載の番組予約装置。
【請求項５】
前記グループのメンバーは、プライオリティによる順位付けを有することを特徴とする請求項１乃至４のいずれか一項に記載の番組予約装置。
【請求項６】
通知を知らせるメッセージを表示又は音声により報知する報知手段をさらに備えることを特徴とする請求項１乃至５のいずれか一項に記載の番組予約装置。
【請求項７】
通知された番組予約情報を基に録画又は視聴予約を実行する番組予約実行手段をさらに備えることを特徴とする請求項１乃至６のいずれか一項に記載の番組予約装置。
【請求項８】
自動録画実行条件にあることを判別する判別手段を備え、
前記番組予約実行手段は、前記自動録画実行条件にあるとき、通知された番組予約情報を基に録画又は視聴予約を実行することを特徴とする請求項７記載の番組予約装置。
【請求項９】
被制御機器を遠隔制御する制御命令を有線又は無線により送信する操作手段を備えることを特徴とする請求項１乃至８のいずれか一項に記載の番組予約装置。
【請求項１０】
通知内容を他の端末に転送する転送手段を備えることを特徴とする請求項１乃至９のいずれか一項に記載の番組予約装置。
【請求項１１】
前記端末は、ＡＶ機器であることを特徴とする請求項１乃至１０のいずれか一項に記載の番組予約装置。
【請求項１２】
前記端末は、携帯端末であることを特徴とする請求項１乃至１１のいずれか一項に記載の番組予約装置。
【請求項１３】
前記複数の端末間を接続する通信インフラが、前記グループ管理手段及び／又は前記通知手段を備えることを特徴とする請求項１記載の番組予約装置。
【請求項１４】
通信可能な複数の端末と、前記複数の端末間を接続する通信インフラとから構成され、前記複数の端末の少なくとも一つは放送番組を予約する番組予約機能を備える番組予約情報通知システムであって、
前記端末の少なくとも一つは、請求項１乃至１３のいずれか一項に記載の番組予約装置からなることを特徴とする番組予約情報通知システム。
【請求項１５】
複数の端末と通信可能な通信機能と、放送番組を予約する番組予約機能とを備える番組予約装置であって、前記複数の端末間で情報を通知しあうメンバーをグループとして管理するグループ管理手段と、番組予約情報を含む情報を前記グループのメンバーの端末に通知する通知手段とを備える番組予約装置として機能させるためのプログラムを記録したことを特徴とするコンピュータ読み取り可能な記録媒体。
【請求項１６】
複数の端末と通信可能な通信機能と、放送番組を予約する番組予約機能とを備える番組予約装置であって、前記複数の端末間で情報を通知しあうメンバーをグループとして管理するグループ管理手段と、番組予約情報を含む情報を前記グループのメンバーの端末に通知する通知手段とを備える番組予約装置として機能させるためのプログラム。
【発明の詳細な説明】
【技術分野】
【０００１】
本発明は、放送番組を予約する番組予約装置及び番組予約情報通知システムに関し、詳細には、情報を通することができる通信機能を有する番組予約装置、番組予約情報通知システム及び番組予約通知プログラムを記録した記録媒体に関する。
【背景技術】
【０００２】
近年、テレビジョン放送もアナログ放送からデジタル放送に急速に移行している。このデジタル放送では、アナログ放送に比べて多チャンネル化が図られると同時に、受信機での番組選択に必要な情報（番組情報）をサービス情報として番組と共に伝送している。ユーザは、この番組情報を受信機の表示画面に表示し、放送番組の確認、視聴予約、録画予約等に利用することができる。
【０００３】
デジタル・テレビジョン放送では、このように番組情報が番組と同時に伝送され、ユーザヘの便宜が図られている。しかし、チャンネル数の増大とともに放送される番組が飛躍的に増大しているため、ユーザにとっては、なお、放送番組の確認、視聴予約、録画予約等を行うには多大な労を要するという問題が存在する。このような状況で、自動着信によって番組予約をする予約受付登録手段を持つことにより、外部から通信網を介して記録機器を駆動可能とする装置が特許文献１に開示されている。
【０００４】
また、特許文献２には、バスを介して接続されているＡＶ機器同士が連携して簡単にタイマ予約やその予約管理を行うＡＶ機器システムが開示されている。また、特許文献３には、電子メールを使って遠隔ＡＶ機器をコントロールする遠隔操作システムが開示されている。
【特許文献１】特開昭６３−２８５７４６号公報
【特許文献２】特開平１１−１７７９１９号公報
【特許文献３】特開２００２−３４４６４４号公報
【発明の開示】
【発明が解決しようとする課題】
【０００５】
しかしながら、このような従来の装置にあっては、あくまでも１ユーザが個人で録画予約をするのを助けるもので、グループ間の録画を通知し合い、コミュニティの絆を強めるための仕組みを持ち合わせていない。
【０００６】
本発明は、このような課題に鑑みてなされたものであって、グループ内で同じ番組を録画又は視聴し、グループ内のコミュニケーションをより円滑することができる番組予約装置、番組予約情報通知システム及び番組予約通知プログラムを記録した記録媒体を提供することを目的としている。
【課題を解決するための手段】
【０００７】
本発明の番組予約装置は、複数の端末と通信可能な通信機能と、放送番組を予約する番組予約機能とを備える番組予約装置であって、前記複数の端末間で情報を通知しあうメンバーをグループとして管理するグループ管理手段と、番組予約情報を含む情報を前記グループのメンバーの端末に通知する通知手段とを備えることを特徴としている。
【０００８】
前記通知手段は、各端末に対してグループ加入依頼を通知するものであってもよく、前記通知手段は、グループ加入依頼に対する返信を通知するものであってもよい。
【０００９】
前記グループ加入依頼は、プライオリティによる順位付けを有することが好ましい。
前記グループのメンバーは、プライオリティによる順位付けを有することが好ましい。
【００１０】
また、通知を知らせるメッセージを表示又は音声により報知する報知手段を備えることが好ましい。
また、通知された番組予約情報を基に録画又は視聴予約を実行する番組予約実行手段をさらに備えるものであってもよい。
【００１１】
また、より好ましい具体的な態様として、自動録画実行条件にあることを判別する判別手段を備え、前記番組予約実行手段は、前記自動録画実行条件にあるとき、通知された番組予約情報を基に録画又は視聴予約を実行する。
【００１２】
被制御機器を遠隔制御する制御命令を有線又は無線により送信する操作手段を備えるものであってもよい。
【００１３】
また、通知内容を他の端末に転送する転送手段を備えるものであってもよい。
また、具体的な態様として、前記端末は、ＡＶ機器又は、携帯端末である。
【００１４】
さらに、前記複数の端末間を接続する通信インフラが、前記グループ管理手段及び／又は前記通知手段を備えるものであってもよい。
【００１５】
本発明の番組予約情報通知システムは、通信可能な複数の端末と、前記複数の端末間を接続する通信インフラとから構成され、前記複数の端末の少なくとも一つは放送番組を予約する番組予約機能を備える番組予約情報通知システムであって、前記端末の少なくとも一つは、上記記載の番組予約装置からなることを特徴としている。
【００１６】
本発明は、複数の端末と通信可能な通信機能と、放送番組を予約する番組予約機能とを備える番組予約装置であって、前記複数の端末間で情報を通知しあうメンバーをグループとして管理するグループ管理手段と、番組予約情報を含む情報を前記グループのメンバーの端末に通知する通知手段とを備える番組予約装置として機能させるためのプログラムを記録したことを特徴とするコンピュータ読み取り可能な記録媒体である。
【００１７】
また、本発明は、複数の端末と通信可能な通信機能と、放送番組を予約する番組予約機能とを備える番組予約装置であって、前記複数の端末間で情報を通知しあうメンバーをグループとして管理するグループ管理手段と、番組予約情報を含む情報を前記グループのメンバーの端末に通知する通知手段とを備える番組予約装置として機能させるためのプログラムである。
【発明の効果】
【００１８】
以上、詳述したように、本発明によれば、グループ内で同じ番組を録画又は視聴し、グループ内のコミュニケーションをより円滑することができる。
【００１９】
また、グループメンバーからの予約情報を受信するだけで自動的に録画又は視聴を行うことが可能になる。その結果、グループ内で同じ番組を録画又は視聴しやすくなり、コミュニティの絆をより強めることができる。
【発明を実施するための最良の形態】
【００２０】
以下、添付図面を参照しながら本発明の好適な番組予約装置及び番組予約情報通知システムの実施の形態について詳細に説明する。
【００２１】
図１は、本発明の実施の形態の番組予約情報通知システムの機能を示す図である。本実施の形態に係る番組予約情報通知システムは、通信機能付き番組予約装置として例えばデジタル放送の電波を受信可能なテレビジョン受信機に適用することができる。通信機能付き番組予約装置としてさらに、ＴＶやビデオデッキ等に代表される被制御機器を、携帯電話等の携帯端末で遠隔制御するシステムに適用することができる。
【００２２】
図１において、番組予約情報通知システムは、通信機能を備える複数の放送受信機１０，２０（端末，ＡＶ機器）と、通信機能及び放送受信機コントロール機能を備える携帯端末３０（端末，ＡＶ機器）と、携帯端末３０により制御されるテレビジョン受信機４０（被制御機器）と、放送受信機１０、放送受信機２０及び携帯端末３０相互間で通信を行う通信インフラ５０とを備えて構成される。各機器の具体的構成については図２乃至図４により後述する。
【００２３】
放送受信機１０及び放送受信機２０は、テレビジョン受信機などの視聴機器やチューナ内蔵記録再生装置などの録画機器であり、通信インフラ５０を介して携帯端末３０及びグループ内の他の機器に情報を送受信する通信機能を備える。この通信機能は、機器本体に内蔵される放送受信機一体型でも外部に接続される外付け型でもよい。また、放送受信機１０及び放送受信機２０は、後述する各機能を備える装置であればどのような構成でもよい。図１では放送受信機１０及び放送受信機２０は、同一構成とし、放送受信機１０を送信側、放送受信機２０を受信側としている。また、携帯端末３０は送信側放送受信機１０からの情報を受信する受信側端末である場合を例としている。
【００２４】
携帯端末３０は、通信機能及び放送受信機コントロール機能を備える通信端末であり、例えば、携帯電話機／ＰＨＳ（Personal Handy-Phone System）や携帯情報端末（以下、ＰＤＡ（Personal Digital Assistants）という）などの携帯端末、ＩｒＤＡ（Infrared Data Association），無線ＬＡＮ機能を持つ携帯ノート型パソコン、さらにはリモコン装置も含まれる。
【００２５】
通信インフラ５０は、移動体通信網、公衆電話網、ＬＡＮやインターネットなどから構成するネットワークであり、有線系又は無線系などネットワークの種類とプロトコルの種類は特に問わない。また、通信インフラ５０のアクセス回線としてはＦＴＴＨ（Fiber To The Home）、ＨＦＣ（Hybrid Fiber Coax：光同軸ケーブル）、及びＡＤＳＬ（Asymmetric Digital Subscriber Line）等の大容量回線が利用可能である。
【００２６】
本番組予約情報通知システムを構成する各端末は、送信側機器／受信側機器としてみた場合、以下の各機能を備える。
<送信側放送受信機１０>
１．予約時情報通知機能（図９及び図１４により後述する）
２．グループ（グループが一人の場合を含む）加入依頼送付機能（図５、図８及び図１４により後述する）
３．番組視聴確認機能
通知した番組をメンバーが見た時にそのことを通知元に返す付加機能
【００２７】
<受信側放送受信機２０>
１．予約情報受信時自動録画予約機能（図９及び図１４により後述する。プライオリティが高い場合に適している。）
２．予約情報受信時マニュアル（確認）予約機能（図９及び図１４により後述する。プライオリティが低い場合に録画を確認する。）
３．個人に対するプライオリティ付け機能（図５、図８及び図１４により後述する。グループの中でも更に親密度で優先順位を付ける。）
４．予約情報受信時携帯フォワード機能
メンバー持つ携帯機器等にデータ転送する仲介機能
５．予約重複時グループプライオリティによる自動優先順位付け機能（図１０及び図１１により後述する）
６．予約重複時予約通知数による自動優先順位付け機能（図１１により後述する）
７．グループ加入依頼受信時プライオリティ付け返信機能（図５、図８及び図１４により後述する）
上記<送信側放送受信機１０>の２．グループ加入依頼送付機能と対をなすもので、グループ参加の有無をプライオリティ付けて返信
８．グループ情報管理機能（図５、図６及び図７により後述する）
参加しているグループ情報を変更・照会する機能
９．番組視聴済み通知機能（図５、図８及び図１４により後述する）
上記<送信側放送受信機１０>の３．個人に対するプライオリティ付け機能と対になるもので、予約情報を受けたことを通知
【００２８】
<受信側携帯端末３０>
１．予約情報受信時マニュアル（確認）予約機能
上記<受信側放送受信機２０>の２．予約情報受信時マニュアル（確認）予約機能と同様機能
２．放送受信機コントロール機能
放送受信機（図１ではテレビジョン受信機４０）を赤外線通信等によりコマンド制御
３．個人に対するプライオリティ付け機能
上記<受信側放送受信機２０>の３．個人に対するプライオリティ付け機能と同様機能
４．予約重複時グループプライオリティによる自動優先順位付け機能
上記<受信側放送受信機２０>の５．予約重複時グループプライオリティによる自動優先順位付け機能と同様機能
５．予約重複時予約通知数による自動優先順位付け機能
上記<受信側放送受信機２０>の６．予約重複時予約通知数による自動優先順位付け機能と同様機能
６．グループ加入依頼受信時プライオリティ付け返信機能
上記<受信側放送受信機２０>の７．グループ加入依頼受信時プライオリティ付け返信機能と同様機能
７．グループ情報管理機能
上記<受信側放送受信機２０>の８．グループ情報管理機能と同様機能
８．番組視聴済み通知機能
上記<受信側放送受信機２０>の９．番組視聴済み通知機能と同様機能
※<受信側携帯端末３０>は、上記<受信側放送受信機２０>の４．予約情報受信時携帯フォワード機能と自動録画機能がない。
【００２９】
<通信インフラ５０>
１．携帯電話通知機能
２．グループ情報管理機能
※<通信インフラ５０>がサーバ（図４、図８及び図１２により後述する）を有し、該サーバが上記<受信側放送受信機２０>の各機能を備えるものでもよい。
【００３０】
図２は、放送受信機一体型の放送受信機１０，２０の構成を示すブロック図である。放送受信機１０，２０は同一構成であるため放送受信機１０を代表して説明する。
図２において、放送受信機１０は、装置全体の制御を行うとともに、グループ内番組予約情報通知処理を実行する制御部１１（判別手段，転送手段）と、グループ管理ＤＢ１２Ａを有し、複数の端末間で情報を通知しあうメンバーをグループとして管理するユーザグループ管理部１２（グループ管理手段）と、ＥＰＧ（Electrical Program Guide：電子番組ガイド）情報を取得し、このＥＰＧにより予約情報を管理する予約情報管理部１３（予約機能）と、ＢＳチューナを含むチューナ等からなる放送受信部１４と、放送番組や録画された番組等を表示するＣＲＴ，ＰＤＰ（Plasma Display Panel），ＬＣＤ（Liquid Crystal Display）等からなる表示部１５（報知手段）と、データ入力や各種機能の指示を行うためのキーボード，ＧＵＩ（Graphical User Interface）ボタン等からなるユーザ操作部１６と、受信・選択された放送番組等を録画する録画部１７（番組予約実行手段）と、グループユーザが持つ機器（ここでは放送受信機２０、携帯電話機／ＰＨＳやＰＤＡなどの携帯端末３０）と通信インフラ５０を通じて通信を行う通信部１８（通信機能）とを備えて構成される。
【００３１】
また、図示は省略されているが、日時時刻を計時、あるいは、一定時間の経過を計測するための時計、外部記録装置や各種機器を接続するためのインタフェースを備えている。
【００３２】
制御部１１は、ＣＰＵ等からなり図５乃至図１３で後述するグループ内番組予約情報通知処理の実行を実行する。上記ＣＰＵは、ＲＯＭ、ＲＡＭ及び電気的に書換可能な不揮発性メモリであるＥＥＰＲＯＭ（electrically erasable programmable ROM）やFlash ROMなどを備え、プログラム、通信制御データ、さらに端末の識別コード等の種々のデータを記憶する。また、上記メモリには、ユーザ管理情報，グループ管理情報，予約管理情報をテーブル又はデータベースとして記憶される。
【００３３】
特に、制御部１１は、ユーザグループ管理部１２により複数の端末間で情報を通知しあうメンバーをグループとして管理するグループ管理処理、通信部１８によりグループ加入依頼や番組予約情報を含む情報をグループのメンバーの端末に通知するとともにグループ加入依頼に対する返信を通知する通知処理、グループ加入依頼又は通知の際のプライオリティによる順位付け処理、グループ加入依頼や通知を知らせるメッセージの表示処理、録画部１７により録画又は視聴予約を実行する録画予約実行処理、自動録画実行条件にあることを判別し通知された番組予約情報を基に自動録画又は視聴を実行する自動録画予約実行処理の、各処理を実行する。また、制御部１１は、通知内容を他の端末（ここでは携帯端末３０）に転送する転送手段としての機能（携帯フォワード機能）を有する。
【００３４】
予約情報管理部１３は、放送受信部１４により受信した信号から番組に関する情報（例えば、番組名、チャンネル、放送日、放送の開始時刻と終了時刻など）をＥＰＧなどから予め取得し、このＥＰＧとユーザ操作部１６により入力されたデータを基に予約情報を管理する。
【００３５】
また、上記ユーザグループ管理部１２、予約情報管理部１３は、ＣＰＵ等からなる制御部１１によりソフトウェア処理される構成のほか、ハードウェア構成であってもよい。これらはアプリケーションソフトウェアとして、ＣＤ−ＲＯＭやＦＤ等に代表される記憶媒体に記憶可能である。
【００３６】
表示部１５は、図示しない駆動回路や、画像メモリ，ＯＳＤ（オン・スクリーン・ディスプレイ）発生部，コントローラ部を備え、放送番組や録画された番組等を表示することは勿論のこと、設定情報や送受信する情報の内容等を表示する。ＯＳＤ発生部は、チャンネル、時刻、音量などの情報をテレビ等の画面上に表示する回路である。テレビ等の映像装置、テレビ会議システム等の電子機器では、チャンネル、時刻、音量などの情報をテレビ画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素がテレビ放送などの原画像の上に重畳される。
【００３７】
ユーザ操作部１６は、ユーザからの入力を受け付ける入力操作を行うキーボードや図示しないリモコン装置の数値，十字キー等からなる入力装置は勿論のこと、通信手段からのデータ入力も含まれる。
【００３８】
録画部１７は、受信・選択された放送番組等を記録するもので、例えば、ＶＴＲ（Video Tape Recorder）や、ハードディスクドライブ（ＨＤＤ）、ＤＶＤ（Digital Versatile Disc）及びＭＯ（Magneto Optical）等のディスク装置からなる。
【００３９】
通信部１８は、グループユーザが持つ放送受信機２０、携帯端末３０との間でデータを送受信するもので、専用回線であるキャリア網を経由してキャリアサーバに接続されるキャリアは勿論のこと、キャリア以外の電波を送受信して無線通信を行うBluetooth、ＵＷＢ（Ultra Wideband）、無線ＬＡＮでもよい。あるいは、ＩｒＤＡ（Infrared Data Association）による赤外線データ通信やＵＳＢ（Universal Serial Bus）などを使用した有線通信である。
【００４０】
図３は、放送受信機コントローラ型である携帯端末３０の構成を示すブロック図である。
図３において、携帯端末３０は、装置全体の制御を行うとともに、グループ内番組予約情報通知処理を実行する制御部３１（判別手段，転送手段）と、グループ管理ＤＢ３２Ａを有し、複数の端末間で情報を通知しあうメンバーをグループとして管理するユーザグループ管理部３２（グループ管理手段）と、ＥＰＧ情報を取得し、このＥＰＧにより予約情報を管理する予約情報管理部３３（予約機能）と、テレビジョン受信機４０に対してＩｒＤＡ・近距離無線等により制御コマンドを送信して操作を行う放送受信機操作部３４（操作手段）と、ＬＣＤ等からなり設定情報や送受信する情報の内容等を表示する表示部３５（報知手段）と、データ入力や各種機能の指示を行うためのキーボード，機能ボタン等からなるユーザ操作部３６と、受信・選択された放送番組等を録画する操作を行う機能ボタン等の録画操作部３７と、グループユーザが持つ機器（ここでは放送受信機１０，２０、図示しない他の携帯端末）と通信インフラ５０を通じて通信を行う通信部３８（通信機能）とを備えて構成される。なお、携帯端末３０は、放送受信機１０の録画部１７はなく、代わりにテレビジョン受信機４０を赤外線通信等により遠隔制御する放送受信機操作部３４を備える。但し、携帯端末３０が、ＨＤＤ等を利用した携帯型画像記録装置である場合には携帯端末であっても録画部１７を備える構成でも構わない。
【００４１】
携帯端末３０が、カメラ付き携帯電話機である場合には、通信部３８はさらに無線通信の送受信を制御する送受信部、ベースバンド部を備え、また図示しないユーザから音声信号を入力するマイク、音声信号を出力するスピーカ、ユーザからのキー操作情報を入力生成する操作部、対象となる画像情報を入力するカメラ、ＬＥＤ制御部、及びＬＥＤ（発光素子）を備えて構成される。
【００４２】
制御部３１は、ＣＰＵ等からなり図５乃至図１３で後述するグループ内番組予約情報通知処理の実行を実行する。携帯端末３０が、携帯電話機である場合には、制御部３１は、携帯電話機の通信制御、例えば、呼の設定、開放、ハンドオフ等を制御し、通信プロトコルの一部を実行する。
【００４３】
予約情報管理部３３は、番組に関する情報（例えば、番組名、チャンネル、放送日、放送の開始時刻と終了時刻など）をＥＰＧなどから予め取得し、このＥＰＧとユーザ操作部３６により入力されたデータを基に予約情報を管理する。このＥＰＧは、通信部３８の番組サイトからダウンロードできるほか、放送受信機１０から通信インフラ５０を経由してデータ送信される。
【００４４】
図４は、通信インフラ５０が有するサーバ６０の構成を示すブロック図であり、サーバが本ユーザ管理を行う場合の例である。
図４において、サーバ６０は、装置全体の制御を行うとともに、グループ内番組予約情報通知処理を実行する制御部６１（判別手段，転送手段）と、ＥＰＧ情報を取得し、このＥＰＧにより予約情報を管理する予約情報管理部６３（予約機能）と、ＢＳチューナを含むチューナ等からなる放送受信部６４と、放送番組や録画された番組等を表示するＣＲＴ，ＬＣＤ等からなる表示部６５（報知手段）と、データ入力や各種機能の指示を行うためのキーボード，ＧＵＩボタン，マウス等のポインティングデバイス等からなるユーザ操作部６６と、受信・選択された放送番組等を録画する録画部６７（番組予約実行手段）と、グループユーザが持つ機器（ここでは放送受信機１０，２０、携帯端末３０）と通信インフラ５０を通じて通信を行う通信部６８（通信機能）とを備えて構成される。通信部６８には、通信により放送受信機１０，２０のユーザグループ管理部１２又は、携帯端末３０のユーザグループ管理部３２が接続される。
【００４５】
制御部６１は、ＣＰＵ等からなり図８及び図１２で後述するグループ内番組予約情報通知処理の実行を実行する。
【００４６】
予約情報管理部６３は、放送受信部６４により受信した信号から番組に関する情報（例えば、番組名、チャンネル、放送日、放送の開始時刻と終了時刻など）をＥＰＧなどから予め取得し、このＥＰＧとユーザ操作部６６により入力されたデータを基に予約情報を管理する。
【００４７】
録画部６７は、図２の録画部１７と同様に受信・選択された放送番組等を記録するもので、例えば、ＶＴＲや、ハードディスクドライブ（ＨＤＤ）、ＤＶＤ及びＭＯ等のディスク装置からなる。
【００４８】
通信部６８は、グループユーザが持つ放送受信機２０、携帯端末３０との間でデータを送受信する通信インフラ５０上に接続される専用回線を使用した有線通信である。
【００４９】
図１では、送信側放送受信機１０、受信側放送受信機２０、携帯端末３０、視聴機器であるテレビジョン受信機４０は、各１台が示されているが複数台接続されるものでもよい。想定される使い方として、放送受信機１０，２０は、ＧＵＩ（Graphical User Interface）によるグラフィック表示可能な１台のテレビジョン受像機に複数台のビデオテープレコーダやＨＤＤ記録装置を放射状に接続し、リモコンを操作してテレビジョン受像機の表示画面上に各ビデオテープレコーダ等に関する情報をアイコン等で表示させ、このアイコン等を選択操作することにより各ビデオテープレコーダ等をテレビジョン受像機側で集中的に予約操作することができるようにしたＡＶコントロールシステムに適用できる。なお、家庭内ＡＶネットワークを実現するための技術として、例えば２０００年１月に標準化が完了したＨＡＶｉ（Home Audio/Video Interoperability）Architectureと呼ばれる標準仕様がある。この仕様は、HAVi V1.0 Specification版の概要部分（1 Generalの1.1 Scope）に記述されているように、家庭用電化製品やコンピュータを接続して、ユーザがある機器を使って別の機器を操作するためのインタフェースの提供を実現している。ＨＡＶｉ仕様書では、一例としてＩＥＥＥ（Institute of Electrical and Electronics Engineers）１３９４とＩＥＣ（International Electrotechnical Commission）６１８８３準拠の家庭用電化製品によるネットワークの構築を想定している。また、同仕様書の同概要部分にあるように、ＨＡＶｉによって実現されたネットワークに接続されている機器をすべてのユーザが自由に使用できる。このように、家庭内にあるＡＶ機器を接続してＡＶネットワークを構築することにより、ユーザは離れた部屋にある機器であっても自由に組み合わせて使用できる。
【００５０】
以下、上述のように構成された番組予約情報通知システムの動作を説明する。
図５は、グループ作成及び通知を示す制御シーケンスであり、図２及び図３に示す制御部２１，３１により実行される。図中、Ｓはフローの各ステップを示す。本フローは、ユーザをグループ化しておくためのフローであり他の処理に先立って最初に実行されるものである。
図５において、送信側は例えば放送受信機１０、受信側は放送受信機２０又は携帯端末３０として説明する。送信側は１つでよいが受信側は複数であることが好ましい。
【００５１】
まず、送信側はステップＳ１でユーザＩＤを用いてリストを作成し招待状を受信側に送る。ユーザＩＤは、メールアドレスのように個人を特定するＩＤであればどのようなＩＤでもよい。図６は、ユーザ管理情報の一例を示す図であり、図６に示すようにユーザＩＤ「Ｕ＿ＩＤ１」「Ｕ＿ＩＤ２」「Ｕ＿ＩＤ３」ごとに名前（Name）「Ａさん」「Ｂさん」「Ｃさん」と、プライオリティ属性（Attribute）「本人」「スペシャル」「ノーマル」を持つ。
【００５２】
受信側はステップＳ２でこの招待状を受け取り優先度指定（最低は拒絶）して送信側に返信する。なお、上記応答確認には、タイムアウト処理を含んでおり一定時間待っても応答がないときは応答なしと判断する。また、後述する各フローの応答確認についても同様のタイムアウト処理が行われる。
【００５３】
送信側はステップＳ３で返信を集計し、拒絶ＩＤ（返信がＮＧであったユーザＩＤ）をリストから削除する。次いで、ステップＳ４でグループ管理データベース（ＤＢ）に登録し、グループＩＤを作成する。ここで、グループ管理ＤＢ１２Ａ，３２Ａは、図２及び図３に示すユーザグループ管理部１２，３２内部に設置される。より詳細には、制御部２１，３１により制御されるユーザグループ管理部１２及び予約情報管理部１３は、制御部２１，３１によるソフトウェア処理により実現され、グループ管理ＤＢ１２Ａ，３２Ａは、制御部２１，３１内部のメモリ上に構築される。また、上記ユーザ管理情報、後述するグループ管理情報及び予約管理情報についても制御部２１，３１内部のメモリ上に記憶される。
【００５４】
図７は、グループ管理情報の一例を示す図であり、図７に示すようにグループ管理情報は、作成者端末で生成されたＩＤによって管理され、作成者とグループに属するメンバー情報を持つ。図７では、グループＩＤ「Ｇ＿ＩＤ１」は、作成者「Ｕ＿ＩＤ１」によって作成され、このグループに属するメンバー情報「Ｕ＿ＩＤ１」「Ｕ＿ＩＤ３」を持つ。すなわち、グループＩＤ「Ｇ＿ＩＤ１」は、２人のメンバー「Ｕ＿ＩＤ１」「Ｕ＿ＩＤ３」から構成される。また、グループＩＤ「Ｇ＿ＩＤ２」は、作成者「Ｕ＿ＩＤ５」によって作成され、このグループに属するメンバー情報「Ｕ＿ＩＤ５」を持つ。すなわち、グループＩＤ「Ｇ＿ＩＤ２」は、１人のメンバー「Ｕ＿ＩＤ１」「Ｕ＿ＩＤ３」から構成される。１人のメンバー構成であってもグループとして扱う。
【００５５】
図５に戻って、送信側はステップＳ５で受諾者のみに確定済みメンバーのリストを通知する。受信側はステップＳ６で受け取ったリストをグループ管理ＤＢ１２Ａ，３２Ａに登録する。
【００５６】
これにより、送信側と受信側のいずれのユーザグループ管理部１２，３２内のグループ管理ＤＢ１２Ａ，３２Ａにも図７に示すグループ管理情報が登録される。
【００５７】
図８は、データサーバ管理時のグループ作成及び通知を示す制御シーケンスであり、図２乃至図４に示す各制御部１１，３１，６１により実行される。本フローは、ユーザＩＤ等のＩＤ関連情報作成をサーバ６０上で行うものであり、ＩＤ作成方法自体は図５に示すフローと同様である。また、作成される管理情報も図５及び図６に示す管理情報と同じものが作成される。
【００５８】
図８において、送信側は放送受信機１０、受信側は放送受信機２０又は携帯端末３０、送信側と受信側は通信インフラ５０に接続されたサーバ６０を介して接続されるものとして説明する。
【００５９】
まず、送信側はステップＳ１１でユーザＩＤを用いてリストを作成しサーバ６０に送付依頼を出す。サーバ６０はステップＳ１２でグループをサーバ６０が持つデータベース（ＤＢ）に登録（ＩＤ作成）後、ユーザに依頼通知を行う。
【００６０】
受信側はステップＳ１３でサーバ６０からの通知を受け取り優先度指定（最低は拒絶）してサーバ６０に返信する。なお、上記応答確認には、タイムアウト処理を含んでおり一定時間待っても応答がないときは応答なしと判断する。
【００６１】
サーバ６０はステップＳ１４で返信を集計し、拒絶ＩＤ（返信がＮＧであったユーザＩＤ）をリストから削除する。次いで、ステップＳ１５でサーバ６０が持つデータベース（ＤＢ）に登録し、グループＩＤを作成するとともに、グループユーザに新規作成グループのリストを送信側と受信側双方に通知する。送信側はステップＳ１６で受け取ったリストをグループ管理ＤＢ１２Ａに登録し、受信側はステップＳ１７で受け取ったリストをグループ管理ＤＢ３２Ａに登録する。
【００６２】
これにより、送信側と受信側のいずれのユーザグループ管理部１２，３２内のグループ管理ＤＢ１２Ａ，３２Ａにも図７に示すグループ管理情報が登録される。
【００６３】
以上により、グループ内でグループ作成が完了し、各装置は図６に示すユーザ管理情報及び図７に示すグループ管理情報を持つことになる。但し、上記ユーザ管理情報及びグループ管理情報の内容は異なっている。次に、グループ作成後の実際の予約動作について説明する。
【００６４】
図９乃至図１１は、録画予約時の動作を示すフローチャートであり、図９は送信側の録画予約フローを、図１０及び図１１は、プライオリティ付けに基づく受信側の録画予約フローを示す。また、図１１は、図１０の詳細フローである。
【００６５】
図９において、まず、ステップＳ２１で録画・視聴予約画面で「お奨めボタン」を押す。上記お奨めボタンは、後述する図１４（ａ）の番組予約画面７０の予約ボタンを押したとき表示される予約ポップアップ画面７１上のソフトウェアボタン（お奨めボタン７２）である。次いで、ステップＳ２２でユーザグループ管理部１２からの出力を基にグループを選択し、送信先を決定する。例えば、後述する図１４（ｂ）の番組予約画面７０のお奨めグループポップアップ画面７３上のカーソル７４を操作して知らせるグループを選択し、決定ボタン７５で決定する。
【００６６】
次いで、ステップＳ２３でチェックのため視聴確認の利用を選択し、ステップＳ２４で受信側に送信する。送信される情報は、自分のユーザＩＤ、グループＩＤ、予約番組情報である。この予約番組情報は、録画予約する番組が特定できる情報であればどのような情報でもよい。一例として放送受信部１４で受信した信号から取得したＥＰＧを用いる。
【００６７】
次いで、ステップＳ２４で相手に自分のユーザＩＤ，グループＩＤ，予約番組情報を送信する。
【００６８】
上記送信側（放送受信機１０）からの通知を受けた受信側（放送受信機２０，携帯端末３０）では、図１０のフローが実行される。
【００６９】
まず、ステップＳ３１で転送指定があるか否かを判別し、転送指定があればステップＳ３２で転送処理を行ってステップＳ３３に進む。この転送指定及び転送処理は、前記図１の放送受信機２０の機能のうちの「４．予約情報受信時携帯フォワード機能」を実現するものである。この転送処理によって、受信側放送受信機２０は送信側放送受信機１０から受け取った情報をそのまま他の機器（例えば、携帯端末３０）に転送する。
【００７０】
ステップＳ３３では、グループＩＤがプライオリティの高いスペシャルグループか否かを判別し、スペシャルグループでなければステップＳ３４でグループ内にプライオリティの高いスペシャルメンバーがあるか否かを判別する。上記ステップＳ３３でグループＩＤが高いスペシャルグループであるとき、あるいは上記ステップＳ３４でグループ内にスペシャルメンバーがあるときはステップＳ３５でプライオリティの高いグループ又はメンバーからの通知であると判断してステップＳ３５以降の処理で録画予約の準備に入る。ステップＳ３５で通知された予約番組を録画するたけの録画空き容量があるか否かを判別し、録画空き容量があればステップＳ３８録画予約を行って本フローを終了する。この録画予約により予約開始の時刻になると、録画部１７，６７で放送受信部１４，６４の電源を入れ、録画予約に用いていた番組情報に基づく番組選局を行って録画部１７，６７で録画行う。予約終了の時刻になると、放送受信部１４，６４と録画部１７，６７の電源を切る。
【００７１】
上記ステップＳ３５で録画空き容量がない場合は、ステップＳ３６でプライオリティに従った録画判定（図１１参照）を行う。録画許可判定となった場合は、ステップＳ３７で消去確認メッセージを通知し、消去確認を得た上でステップＳ３８の録画予約に移行する。上記消去確認メッセージ通知は、例えば表示部１５，３５，６５へのメッセージ表示や音声通知により「○○グループの△△さんからお奨めの録画予約が入っていますが録画空き容量が足りません。古い番組を消去してもよいですか？」をユーザに通知する。ユーザからの応答により録画予約の有無を決定する。この場合、応答を返さないとき、録画予約に移行しない／移行するなどはあらかじめユーザ設定が可能である。
【００７２】
一方、上記ステップＳ３４でグループ内にスペシャルメンバーがないとき、あるいは上記ステップＳ３６で録画不許可判定となった場合は、ステップＳ３９でユーザにお奨めメッセージを通知して本フローを終了する。お奨めメッセージ受信画面例は、後述する図１４（ｄ）のお奨めメッセージ受信画面９０に示すように「○○グループの△△さんからお奨め番組通知です。」を通知する。自動録画予約が行われないときには、このようなお奨めメッセージを通知することでグループメンバーとって情報を共有することができる。
【００７３】
図１１は、プライオリティ付けに基づく受信側の録画予約フローチャートであり、図１０のステップＳ３６の詳細フローである。
【００７４】
まず、ステップＳ４１で予約リストをプライオリティ順でソートする。ソートの一例として、
１．スペシャルグループの数が多いほどプライオリティが高い
２．同じ場合、スペシャルメンバーの人数が多いほどプライオリティが高い
とする。
【００７５】
ステップＳ４２では、プライオリティの一番低い予約項目を選択し、ステップＳ４３で新予約リクエストより選択した予約項目のプライオリティが高いか否かを判別する。新予約リクエストより選択した予約項目のプライオリティが低ければ、一番低い項目より低い場合であるから録画不許可判定と判断して図１０のステップＳ３９に移行する。
【００７６】
上記ステップＳ４３で新予約リクエストより選択した予約項目のプライオリティが高いときには、ステップＳ４４で空き時間に選択予約項目の時間を足し、削除項目リストに選択予約項目を追加する。次いで、ステップＳ４５で空き時間が新予約リクエストの時間より長いか否かを判別し、空き時間が新予約リクエストの時間より長い場合には録画可能であると判断して図１０のステップＳ３７に移行する。空き時間が新予約リクエストの時間より長くない場合は、ステップＳ４６で次にプライオリティの低い予約項目を選択して上記ステップＳ４３に戻る。これにより、プライオリティの低い項目から順に予約が削除され、プライオリティの高い項目が空き時間分確保される。
【００７７】
図１２は、データサーバ管理時の予約情報通知を示す制御シーケンスであり、送信側は放送受信機１０、受信側は放送受信機２０又は携帯端末３０、送信側と受信側は通信インフラ５０に接続されたサーバ６０を介して接続される場合を例にとる。
【００７８】
まず、送信側はステップＳ５１でサーバ６０にグループＩＤリストを送り、サーバ６０に対してグループ詳細情報をリクエストする。サーバ６０はステップＳ５２でグループを予約管理情報ＤＢから抽出して応答する。図１３は、予約管理情報の一例を示す図であり、図１３に示すように予約管理情報は、予約情報を識別するＩＤであるリサーブＩＤとその通知が行われたグループの通知元グループ情報を持つ。図１２では、リサーブＩＤ「Ｒ＿ＩＤ１」は、通知元グループ「Ｇ＿ＩＤ２」を持つ。また、リサーブＩＤ「Ｒ＿ＩＤ２」は、通知元グループ「Ｇ＿ＩＤ１」「Ｇ＿ＩＤ２」を持つ。この予約管理情報により予約情報がどのグループから通知があったものかを識別できる。
【００７９】
送信側はステップＳ５３で通知先グループを選択し、サーバ６０に通知先グループＩＤを送って通知を依頼する。サーバ６０はステップＳ５４で該当するグループメンバーにユーザＩＤ（図６），グループＩＤ（図７），予約管理情報（図１３）を通知する。
【００８０】
上述した予約情報通知機能は、送信側装置（例えば、放送受信機１０，２０）が持つものでもよいことは勿論であるが、サーバ６０に管理機能を持たせることで、送信側のソフトウェア規模が小さくなる、サーバによるグループ情報サービスの拡充が期待できるメリットがある。
【００８１】
上記各フローを実行することにより、具体的には以下のようなグループ内番組予約情報通知機能を実現することができる。
【００８２】
図１４は、番組予約画面、グループ通知依頼受信画面及びお奨めメッセージ受信時画面の一例を示す図である。
図１４（ａ）（ｂ）は、図１の<送信側放送受信機１０>の１．予約時情報通知機能による番組予約画面例を示す。本機能は、図９の送信側の録画予約処理により実現されるものである。また、本機能を使用する前提としてグループは既に登録されている。
【００８３】
図１４（ａ）は、ＥＰＧを用いて番組を選択したときに表示される番組予約画面７０である。番組予約画面７０の予約ボタンを押すと予約ポップアップ画面７１が現れ予約を行うことができる。いま、放送番組「１０：００−１１：００報道スペシャル」を選択し予約ボタンを押し予約を行っている。この放送番組「１０：００−１１：００報道スペシャル」を、グループ仲間にも情報として通知したいと思ったときは予約ポップアップ画面７１上のお奨めボタン７２を押す。
【００８４】
すると、図１４（ｂ）に示すお奨めグループポップアップ画面７３が表示される。お奨めグループは、カーソル７４を操作して登録されているグループリストを呼び出し、知らせるグループ（ここでは、「学校の仲間Ａ  あつし，とおる，けいこ，えり」）を選択する。決定ボタン７５を押して決定すると、番組予約が設定されるとともに、知らせるグループ「学校の仲間Ａ」の各メンバー「あつし，とおる，けいこ，えり」の受信側機器に予約情報が通知される。送信される情報は、自分のユーザＩＤ、グループＩＤ、予約番組情報である。なお、番組予約設定とお奨めグループ選択・決定・送信処理とは別処理でも構わない。
【００８５】
図１４（ｄ）は、上述のように送信された通知を受信したお奨めメッセージ受信画面である。図１４（ｄ）に示すように、番組画面１１０上に『グループ「学校の仲間」の「けいこ」からのお奨め番組通知です  １０：００−１１：００報道スペシャル』のお奨めメッセージ受信画面９０が表示される。受信したメンバーは、このお奨めメッセージ受信画面９０を見て録画予約を行う場合は録画ボタン９１を、また録画予約やこの画面９０を消したい場合にはＮＧボタン９２を押す。このお奨めメッセージ受信画面９０は、自動録画予約が行われない条件（図１１参照）で通知を受けた場合には、なるべく表示することが好ましい。また、前記図１０に示す処理で自動録画予約を行ったときには、『グループ「学校の仲間」の「けいこ」からのお奨め番組通知があったので  １０：００−１１：００報道スペシャルを録画予約しました』などのメッセージを表示することが好ましい。
【００８６】
図１４（ｅ）は、放送受信機コントローラ型である携帯端末３０で、通知を受信したお奨めメッセージ受信画面１００である。メッセージは携帯端末３０の表示部３５に適したコンパクトな内容で表示される。ＲＥＣ１０１は録画ボタン、ＮＧ１０２はＮＧボタンであり、カーソルキー等により選択される。
【００８７】
図１４（ｃ）は、図１の<送信側放送受信機１０>の２．グループ（グループが一人の場合を含む）加入依頼送付機能によるグループ通知依頼受信画面例を示す。本機能は、図５又は図８のグループ作成及び通知処理により実現されるものである。また、本機能を使用する前提としてグループは既に登録されている。
【００８８】
受信側でグループ通知依頼を受信すると、図１４（ｃ）に示すように、例えば番組画面１１０上にグループ通知依頼受信画面８０が表示される。グループ通知依頼受信画面８０は、受信時に直ちに表示する態様でも、グループ通知受信があることをまず知らせ指示を受けてから表示する態様でもよい。グループ通知依頼受信画面８０には、その内容「グループ参加依頼  ○あつし，とおる，ゆか，みどり，ひろし，まりこ」（○はリーダを表す）と、優先度指定して返信するためのスペシャルボタン８１，ノーマルボタン８２，ＮＧ（拒絶又は不参加）ボタン８３が表示される。グループ参加依頼を受信した場合、受け入れる（スペシャルボタン８１，ノーマルボタン８２の押下）、否か（ＮＧボタン８３の押下）を選択できる。スペシャルボタン８１を押して返信するとプライオリティの高いグループ参加として送信側グループ参加ＤＢに登録される。プライオリティの高いメンバーで登録しておくと、優先的な番組予約等の情報通知が受けられることになる。また、タイムアウト処理によりグループ通知に対する応答がない場合に、不参加とする態様でもよい。
【００８９】
以上のように、本実施の形態の番組予約情報通知システムは、通信機能を備える複数の放送受信機１０，２０，携帯端末３０と、各端末間で通信を行う通信インフラ５０とを備え、放送受信機１０，２０，携帯端末３０の制御部１１，３１は、ユーザグループ管理部１２により、複数の端末間で情報を通知しあうメンバーをグループとして管理するグループ管理処理、通信部１８，３８により、グループ加入依頼や番組予約情報を含む情報をグループのメンバーの端末に通知する通知処理を実行するので、予約情報を通知しあうグループつくりと、その参加依頼への応答、予約情報の通知、グループ又はユーザによる通知メッセージ処理内容の選択（プライオリティを付けることができる）、携帯端末３０への通知内容転送、さらに自動録画予約を実現することが可能になり、グループ内で同じ番組を録画又は視聴し、グループ内のコミュニケーションをより円滑することができる。このように、自分のために予約するのではなく、自分の仲のよいグループの人に番組を教えてあげることによって、みんなで同じ番組を見て話をしたり親睦を深めたりしてコミュニティの絆を深めることができる。また、通知受信側端末の録画容量に余裕がある場合やプライオリティの高いグループなどからの受信予約については、自動録画を行うのでグループ内で同じ番組をより視聴しやすくなる。携帯フォワード機能によって携帯電話機などにも予約情報を転送することができ、さらに利便性を向上させることができる。
【００９０】
なお、上記実施の形態に係る番組予約装置及び番組予約情報通知システムは、装置単体としては勿論のこと、テレビジョン受信機等の視聴機器や録画機器に組み込まれた装置であってもよい。通信機能についても同様である。例えば、録画機器が表示機器を制御可能な番組予約装置を内蔵する場合や、番組予約装置、表示機器、録画機器が一体となった構造なども考えられる。
【００９１】
また、ＡＶ機器は、例えばデジタル放送の電波を受信可能なデジタル放送受信機能を備えたテレビジョン受信機に適用することができる。視聴／録画する番組は何でもよく、現行テレビ放送番組や、ケーブルＴＶ放送番組であってもよい。
【００９２】
また、図１では放送受信機１０，２０が２つ、携帯端末３０、テレビジョン受信機４０及び通信インフラ５０が各１つ示されているが、これは一例であり複数の装置が接続されている場合でも構わない。
【００９３】
また、グループという名称を用いているがグループは一人であってもよい。実施の形態では、プライオリティはノーマルに対するスペシャルのみであるが、より多くのプライオリティを設定してもよい。
【００９４】
また、録画機器の種類や記録方法等は限定されず、全ての装置に適用可能である。例えば、記録装置として、ＶＴＲ（Video Tape Recorder）のほか、ＨＤＤやＤＶＤ（Digital Versatile Disk）に記録するものでもよい。特に、データ転送速度やランダム・アクセス性能が高く、高速アクセスが可能なＨＤＤを記録媒体に用いれば、長時間記録した番組の中から所望の番組を瞬時に検索し、直ぐに利用することが可能になる。また、光磁気ディスク等ＨＤＤ以外の記録装置を用いてもよく、同様の効果を得ることができる。
【００９５】
また、本実施の形態では番組予約装置及び番組予約情報通知システムという名称を用いたが、これは説明の便宜上であり、番組予約システム、コミュニケーション方法等であってもよいことは勿論である。
【００９６】
さらに、上記番組予約装置及び番組予約情報通知システムを構成する各回路部、例えば報知手段、記憶部等の種類、通信インフラの数及び接続方法などは前述した実施の形態に限られない。
【００９７】
以上説明した番組予約装置は、この番組予約装置を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【００９８】
ここで、上記プログラムメディアは、本体と分離可能に構成される記録媒体であり、磁気テープやカセットテープ等のテープ系、フロッピーディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００９９】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【図面の簡単な説明】
【０１００】
【図１】本発明の実施の形態の番組予約情報通知システムの機能を示すブロック図である。
【図２】本発明の実施の形態の番組予約情報通知システムの放送受信機の構成を示すブロック図である。
【図３】本発明の実施の形態の番組予約情報通知システムの携帯端末の構成を示すブロック図である。
【図４】本発明の実施の形態の番組予約情報通知システムの通信インフラが有するサーバの構成を示すブロック図である。
【図５】本発明の実施の形態の番組予約情報通知システムのグループ作成及び通知を示す制御シーケンスである。
【図６】本発明の実施の形態の番組予約情報通知システムのユーザ管理情報の一例を示す図である。
【図７】本発明の実施の形態の番組予約情報通知システムのグループ管理情報の一例を示す図である。
【図８】本発明の実施の形態の番組予約情報通知システムのデータサーバ管理時のグループ作成及び通知を示す制御シーケンスである。
【図９】本発明の実施の形態の番組予約情報通知システムの送信側の録画予約時の動作を示すフローチャートである。
【図１０】本発明の実施の形態の番組予約情報通知システムのプライオリティ付けに基づく受信側の録画予約時の動作を示すフローチャートである。
【図１１】図１０の詳細フローチャートである。
【図１２】本発明の実施の形態の番組予約情報通知システムのデータサーバ管理時の予約情報通知の制御シーケンスを示す図である。
【図１３】本発明の実施の形態の番組予約情報通知システムの予約管理情報の一例を示す図である。
【図１４】本発明の実施の形態の番組予約情報通知システムの番組予約画面、グループ通知依頼受信画面及びお奨めメッセージ受信時画面の一例を示す図である。
【符号の説明】
【０１０１】
１０，２０  放送受信機（端末，ＡＶ機器）
１１，３１，６１  制御部（判別手段，転送手段）
１２Ａ，３２Ａ  グループ管理ＤＢ
１２，３２  ユーザグループ管理部（グループ管理手段）
１３，３３，６３  予約情報管理部（予約機能）
１４，６４  放送受信部
１５，３５，６５  表示部（報知手段）
１６，３６，６６  ユーザ操作部
１７，６７  録画部（番組予約実行手段）
１８，３８，６８  通信部（通信機能）
３０  携帯端末（端末，ＡＶ機器）
３４  放送受信機操作部（操作手段）
３７  録画操作部
４０  テレビジョン受信機（被制御機器）
５０  通信インフラ
６０  サーバ
７０  番組予約画面
７１  予約ポップアップ画面
７４  カーソル
７５  決定ボタン
８０  グループ通知依頼受信画面
８１  スペシャルボタン
８２  ノーマルボタン
９０，１００  お奨めメッセージ受信画面
８３，９２  ＮＧボタン
９１  録画ボタン
１１０  番組画面
【図１】
2005184503.tif 000003
【図２】
2005184503.tif 000004
【図３】
2005184503.tif 000005
【図４】
2005184503.tif 000006
【図５】
2005184503.tif 000007
【図６】
2005184503.tif 000008
【図７】
2005184503.tif 000009
【図８】
2005184503.tif 000010
【図９】
2005184503.tif 000011
【図１０】
2005184503.tif 000012
【図１１】
2005184503.tif 000013
【図１２】
2005184503.tif 000014
【図１３】
2005184503.tif 000015
【図１４】
2005184503.tif 000016